(57)【要約】【課題】ＶｏＩＰ端末とＩＰ電話網との間で、輻輳発生時に優先すべき呼と一般呼とを区別して中継処理することができる装置を提供する。【解決手段】呼中継装置が、優先呼についての情報及びＩＰ電話網における呼の処理方針についての情報を保持していて、輻輳の発生を通知されると、受信した呼について呼の種別に応じた優先の判定を行い、判定に基づいて呼の処理方針を適用して、中継または非中継の処理を行う。【選択図】図１
2008005257.tif 000002
【特許請求の範囲】
【請求項１】
ＶｏＩＰ端末とＩＰ電話網との間で少なくとも１つの呼の中継をなす呼中継装置であって、
前記ＩＰ電話網における輻輳の発生を検知したときに輻輳信号を生成する輻輳監視手段と、
優先呼のリストを保持する情報保持手段と、
前記ＩＰ電話網の呼処理方針を保持するポリシー保持手段と、
前記呼について、前記輻輳信号の有無及び前記呼の呼情報と前記優先呼のリストとの合致を判定し、前記判定結果に従って前記呼処理方針に従った中継処理をなす中継処理手段と、
を有する呼中継装置。
【請求項２】
前記中継処理手段は、前記呼処理方針に基づいて中継処理の対象から除外された呼の呼情報を記憶し、前記呼の発信元のＶｏＩＰ端末に非中継処理とされたことを通知することを特徴とする請求項１記載の呼中継装置。
【請求項３】
前記中継処理手段は、前記輻輳信号の不存在時には、全ての呼を中継することを特徴とする請求項１記載の呼中継装置。
【請求項４】
前記中継処理手段は、前記輻輳信号の存在時には、前記呼の呼情報と前記優先呼のリストとが合致すれば、前記呼を中継することを特徴とする請求項１記載の呼中継装置。
【請求項５】
前記中継処理手段は、呼を生成するパケットの全部または一部廃棄を選択的に行うことを特徴とする請求項１記載の呼中継装置。
【請求項６】
前記呼処理方針には、前記呼についての呼情報の書き換えを含むことを特徴とする請求項１記載の呼中継装置。
【発明の詳細な説明】
【技術分野】
【０００１】
本発明は、ＶｏＩＰ（Voice over IP）端末とＩＰ（インターネットプロトコル）電話網との間で、輻輳発生時に優先すべき呼と一般呼とを区別して中継処理することができる呼中継装置に関する。
【背景技術】
【０００２】
ＩＰ電話サービスでは、インターネットや専用のＩＰ網を利用して音声電話サービスを提供している。これらの網内に輻輳が生じた場合、通常、網内のノード装置の過負荷を解消すべくトラヒックを一律に規制して輻輳を解消する。例えば、特許文献１に開示される技術では、輻輳制御情報を解析し、接続制御量を決定し、接続制御量に基づき加入者への呼に対して呼損処理を行うことによって呼の接続数を制御して輻輳を解消している。
【特許文献１】特開２００４−３０４６４６
【発明の開示】
【発明が解決しようとする課題】
【０００３】
しかしながら、かかる従来の技術による装置では、輻輳発生時において、優先通信と一般通信を識別して適切な制御を行う仕組みがないため、優先通信を優先接続させることができないという問題点があった。さらに、発信規制対象となった呼に属する一連のトラヒックを関連付けて矛盾なく扱うことができないため、ＶｏＩＰ端末側に発信規制について認識する機能がない場合には、ＶｏＩＰ端末から無駄なトラヒックを生じさせ、また端末上で誤動作を生じさせる可能性があった。
【課題を解決するための手段】
【０００４】
本発明による呼中継装置は、ＶｏＩＰ端末とＩＰ電話網との間で少なくとも１つの呼の中継をなす呼中継装置であって、該ＩＰ電話網における輻輳の発生を検知したときに輻輳信号を生成する輻輳監視手段と、優先呼のリストを保持する情報保持手段と、該ＩＰ電話網の呼処理方針を保持するポリシー保持手段と、該呼について、該輻輳信号の有無及び該呼の呼情報と該優先呼のリストとの合致を判定し、該判定結果に従って該呼処理方針に従った中継処理をなす中継処理手段と、を有することを特徴とする。
【発明の効果】
【０００５】
本発明では、ＩＰ電話網端部において呼中継制御をなすことにより、ネットワーク全体のトラヒック量の増加で生じていた輻輳のみではなく例えばＶｏＩＰサーバに対するトラヒックの集中により生じていたような輻輳も避けることができる。また、ＩＰ電話網における呼中継処理方針の設定をポリシー制御サーバにより行うことから、呼の規制や中継の処理基準を容易に変更することができ、柔軟な中継及び輻輳制御が可能となる。
【発明の実施の形態】
【０００６】
本発明の実施例について添付の図面を参照しつつ詳細に説明する。
【０００７】
図１は、本発明による実施例を示し呼中継装置を含む全体の構成を示している。複数のＶｏＩＰ端末１０ａ〜１０ｃがＩＰ網２０に接続されている。なお、本実施例では３つのＶｏＩＰ端末１０ａ〜１０ｃが示されているが、本発明はかかる数に限定されず、多数のＶｏＩＰ端末が接続される形態が想定されている。また、理解を容易にするために、ＶｏＩＰ端末１０ａ〜１０ｃを発信側とし、着信側としてＶｏＩＰ端末１０ａ’〜１０ｃ’がＩＰ網２０’に接続されている形態を示しているが、ＩＰ電話網４０からゲートウェイ等を介して既存の加入電話（ＰＳＴＮ）網に接続し一般電話端末に着信することも可能である。ＶｏＩＰ端末１０ａ〜１０ｃ、１０ａ’〜１０ｃ’は、例えば、ＩＰ網に接続して音声通信が可能なＩＰ電話端末やソフトフォンなどである。ＩＰ網２０、２０’は、インターネット等に接続し得る通常のＩＰ網である。
【０００８】
呼中継装置３０、３０’は、インタネットサービスプロバイダ（ＩＳＰ）が提供するＩＰ電話網４０とＩＰ網２０、２０’との境界に位置し、ＩＰ電話ユーザによりＶｏＩＰ端末１０ａ〜１０ｃからＩＰ網２０を介して送信されるトラヒックを受信すると、トラヒックの種別に応じて発信規制などのポリシー制御を行い、ＩＰ電話網４０内のルータ（図示せず）へ転送する。
【０００９】
プロファイル管理サーバ５０は、呼制御トラヒックのうち優先通信の対象となるトラヒックを識別するために必要なデータを示す優先呼リストを保持する情報保持手段であり、優先呼リストは呼中継装置３０に送信される。
【００１０】
ポリシー管理サーバ６０は、ＩＰ電話網４０内においてトラヒックを処理するための判断基準を統一的に扱う方法のリストの記述である呼処理方針（ポリシー）を保持するポリシー保持手段であって、呼中継装置３０、３０’などのＩＰ電話網４０内の被制御機器に配布することにより設定情報を一元的に管理している。
【００１１】
輻輳監視サーバ７０は輻輳監視手段であって、ＶｏＩＰサーバ８０を介してＩＰ電話網４０のトラヒックの監視を常時行っていて、輻輳の発生を検出すると輻輳信号を生成して呼中継装置３０、３０’に通知する。
【００１２】
ＶｏＩＰサーバ８０は、ＩＰ電話ユーザの管理、番号翻訳、呼制御及びルーティング等を行う。呼制御プロトコルとして、本実施例ではＳＩＰ（Session Initiation Protocol）を用いる例を示しているが、これに限定されない。
【００１３】
図２は、図１に示した呼中継装置３０の内部構成を示している。呼中継装置３０は、メッセージ受信部３１、メッセージ識別機能部３２、呼情報管理機能部３３、レスポンス機能部３４、メッセージ送信部３５を含む。
【００１４】
メッセージ受信部３１は、ＶｏＩＰ端末１０ａからＩＰ網２０を介して受信するトラヒックデータの受信処理を行って、ＳＩＰメッセージデータをメッセージ識別機能部３２に送信する。
【００１５】
メッセージ識別機能部３２は、受信したＳＩＰメッセージデータの種別（メソッド種類）を識別し、識別した種別に応じて優先の判断を行って、ポリシー管理サーバ６０から受け取ったポリシーを適用する。
【００１６】
呼情報管理機能部３３は、規制対象メッセージデータの呼情報を記憶する。また、メッセージ識別機能部３２から照会される呼情報について記憶されているか否かを判断する。
【００１７】
レスポンス機能部３４は、ポリシーが適用されて破棄されたＳＩＰメッセージデータに応じた内容のレスポンスメッセージを作成してメッセージ送信部３５に送出する。
【００１８】
メッセージ送信部３５は、レスポンス機能部３４より受信したレスポンスメッセージを、破棄されたメッセージの発信元のＶｏＩＰ端末１０ａにＩＰ網２０を介して送信する。また中継対象と判断されたＳＩＰメッセージデータをメッセージ識別機能部３２から受信して、ＩＰ電話網４０内の次ルータ（図示せず）に送信する。
【００１９】
次に、呼中継装置３０の動作について説明する。
【００２０】
先ず、呼中継装置３０は、起動時または任意のタイミングにおいて、プロファイル管理サーバ５０から優先対象となる通信を識別するために必要なデータ（以下プロファイルと呼ぶ）を受信して保持する。プロファイルには優先加入者一覧及び優先呼番号一覧が含まれている。優先加入者一覧は、呼中継装置３０の配下に位置するＶｏＩＰ端末のうち、優先加入者として指定がなされているＶｏＩＰ端末の識別子の一覧である。また、優先呼番号一覧は、ＶｏＩＰ端末が優先呼の発信時に使用する番号の一覧である。優先呼には、例えば、警察や消防への緊急通報等がある。
【００２１】
呼中継装置３０は、また、起動時または任意のタイミングにおいて、ポリシー管理サーバ６０から、輻輳発生時に発信規制を実施するためのポリシーを受信して保持する。ポリシーは、呼中継装置３０で受信されるトラヒックに対して適用する処理方法を規定していて、ここでは以下の方法を含む。
（１）シェーピング機能等を用いて、通過するトラヒックのうち一定の割合でパケットを      廃棄する。
（２）マーキング機能等を用いて、ヘッダのＴＯＳ（Type of Service）／ＣＯＳ（Clas      s of Service）値を既定値に書き換える。
（３）透過的に通過させる。
【００２２】
ここで、規制対象のトラヒックに対しては（１）のポリシーが適用され、中継対象のトラヒックに対しては、（２）または（３）及びその両方のポリシーが適用される。廃棄対象のトラヒックに対しては、（１）のポリシーが廃棄率１００％で適用される。
【００２３】
次に、メッセージ識別機能部３２における受信ＳＩＰメッセージデータの処理について図３も参照して説明する。
【００２４】
ＩＰ網２０を介してＶｏＩＰ端末１０ａから発信されたメッセージデータは、呼中継装置３０のメッセージ受信部３１で受信される（Ｓ１０）。
【００２５】
メッセージ識別機能部３２は、メッセージ受信部３１からＳＩＰメッセージデータを受信すると、先ず、受信したＳＩＰメッセージデータの種別を識別する（Ｓ２０）。かかる種別としては、例えば、ユーザのＵＲＩの登録を指定する種別記号である「ＲＥＧＩＳＴＥＲ」、セッション参加リクエストを指定する種別記号である「ＩＮＶＩＴＥ」、セッションの終了を指定する種別記号である「ＣＡＮＣＥＬ」、ＩＮＶＩＴＥに対する最終レスポンスの確認を指定する種別記号である「ＡＣＫ」である。また、その他の種別記号を指定している場合を「その他」とする。
１）メッセージデータが「ＲＥＧＩＳＴＥＲ」であると識別された場合
メッセージ識別機能部３２は、輻輳監視サーバ７０より輻輳発生の通知を受けているか否か、即ち、発信規制実施中であるか否かを判断する（Ｓ３０）。規制実施中でなければ、受信ＳＩＰメッセージデータは「中継」対象であると判断される（Ｓ３３）。規制実施中であれば、次に受信メッセージデータが、プロファイルに登録されている優先加入者から発信されたものか否かを判断する（Ｓ３１）。これは、プロファイルに記載されたアドレスとＳＩＰメッセージのヘッダ部の発信アドレスの一致を確認することにより行われる。優先加入者から発信されたものであれば、「中継」対象であると判断する（Ｓ３３）。優先加入者から発信されたものでなければ「規制」対象と判断する（Ｓ３２）。
２）メッセージデータが「ＩＮＶＩＴＥ」であると識別された場合
メッセージ識別機能部３２は、「ｒｅＩＮＶＩＴＥ」であるか否かをさらに判断する（Ｓ４０）。「ｒｅＩＮＶＩＴＥ」であれば「中継」対象であると判断する（Ｓ４６）。「ｒｅＩＮＶＩＴＥ」でない場合、発信規制実施中であるか、優先加入者からの発信であるか否かを上記Ｓ３０、Ｓ３１と同様にして順に判断する（Ｓ４１、Ｓ４２）。優先加入者からの発信でない場合、次にプロファイルに登録されている優先対象とすべき優先呼か否かを判断する（Ｓ４３）。優先呼であれば、「中継」対象であると判断する（Ｓ４６）。優先呼でなければ、該ＩＮＶＩＴＥメッセージデータについての呼情報を呼情報管理機能部３３に記憶させる。該メッセージデータは「規制」対象と判断される（Ｓ４５）。
３）メッセージデータが「ＣＡＮＣＥＬ」であると識別された場合
メッセージ識別機能部３２は、Ｓ３０、Ｓ３１と同様に、発信規制実施中であるか否か、優先加入者からの発信であるか否かを順に判断する（Ｓ５０、Ｓ５１）。優先加入者からの発信でない場合、次にメッセージデータの呼情報について、呼情報管理機能部３３に既に記憶されている呼情報に合致するものがあるか否かの照会を行う（Ｓ５２）。即ち、規制対象と判断された「ＩＮＶＩＴＥ」メッセージデータと同一の呼に属するか否かを判断して（Ｓ５３）、記憶されていなければ「中継」対象と判断する（Ｓ５６）。記憶されていれば、レスポンス機能部３４に該メッセージデータの情報を送信して、メッセージデータが破棄されたこと、即ち「ＣＡＮＣＥＬ」が未だ成されていないことを内容とするレスポンスを作成させて、メッセージ送信部３５に送信させる（Ｓ５４）。メッセージデータは「破棄」対象とされる（Ｓ５５）。
４）メッセージデータが「ＡＣＫ」であると識別された場合
メッセージ識別機能部３２は、規制実施中か否かの判断、優先加入者か否かの判断、呼情報照会処理、既存呼か否かの判断をＳ５０〜Ｓ５３と同様に行う（Ｓ６０〜Ｓ６３）。Ｓ６３で既存呼であると判断されると、メッセージデータは「破棄」対象とされる（Ｓ６４）。
５）メッセージデータが「その他」であると識別された場合
メッセージ識別機能部３２は、「中継」対象と判断する。
【００２６】
上記の手順により判断されたＳＩＰメッセージデータの処理区分（規制、中継、廃棄）に基づき、メッセージ識別機能部３２は上記したポリシーを適用する。
【図面の簡単な説明】
【００２７】
【図１】本発明の実施例による輻輳制御装置を含むネットワーク全体の構成を示す。
【図２】本発明の実施例による呼中継装置の機能ブロック図を示す。
【図３】本発明の実施例による呼中継装置におけるパケット処理の流れを示す。
【符号の説明】
【００２８】
１０、１０’１０ａ、１０ｂ、１０ｃ、１０ａ’、１０ｂ’、１０ｃ’      ＶｏＩＰ端末
２０   ＩＰ網
３０   呼中継装置
３１   メッセージ受信装置
３２   メッセージ識別機能部
３３   呼情報管理機能部
３４   レスポンス機能部
３５   メッセージ送信部
４０   ＩＰ電話網
５０   プロファイル管理サーバ
６０   ポリシー管理サーバ
７０   輻輳監視サーバ
８０   ＶｏＩＰサーバ
【図１】
2008005257.tif 000003
【図２】
2008005257.tif 000004
【図３】
2008005257.tif 000005